(57)【要約】【課題】            従来の電子錠システムが、内蔵されたバッテリーの消耗事故は簡単に修復できても、電子回路やメカニズムが故障してしまった場合に、屋外から施錠状態を解除することが不可能となり、業者等を待つ間は屋外に締め出し状態とされてしまう虞が多分にあったという点である。【解決手段】        建築物の開口部を開閉する開閉体の屋内側面に固定されるベースプレートと、そのベースプレートに対して回動もしくはスライドして位置可変とした取り付けプレートを備え、その取り付けプレートに、前記した開口部のフレームに設けられた受部に出入自在とされた閂部材を有する電子錠を固定してあることとし、前記した取り付けプレートはベースプレートに対して強制的な移動手段を介して位置が変位されることとする。【選択図】          図１
2006037442.tif 000002
【特許請求の範囲】
【請求項１】
建築物の開口部を開閉する開閉体の屋内側面に固定されるベースプレートと、そのベースプレートに対して回動もしくはスライドして位置可変とした取り付けプレートを備え、その取り付けプレートに、前記した開口部のフレームに設けられた受部に出入自在とされた閂部材を有する電子錠を固定してあることを特徴とする電子錠の緊急開錠装置。
【請求項２】
前記した取り付けプレートはベースプレートに対して強制的な移動手段を介して位置が変位されることを特徴とする電子錠の緊急開錠装置。
【請求項３】
前記した取り付けプレートはその一端部分でベースプレートに対して軸支されて回転可能とされるとともに、前記閂部材と受部との間にはバックラッシが形成されていることを特徴とする請求項１または請求項２に記載の電子錠の緊急開錠装置。
【請求項４】
前記した取り付けプレートの前記した軸支部と反対側の端部にはノッチが形成され、そのノッチには回動もしくは摺動可能とされたラッチの一端が係合されていることを特徴とする請求項１、請求項２または請求項３に記載の電子錠の緊急開錠装置。
【請求項５】
前記したラッチには摺動力付与手段が連接されており、その回動力付与手段はモータ駆動されるギア機構と連動される、上端にラッチと係合するフック部を形成したラック部材としてあることを特徴とする請求項４に記載の電子錠の緊急開錠装置。
【請求項６】
前記したギア機構のうち、前記したラック部材を作用させるピニオンは回転ギアに同芯として設けられ、前記ラッチとベースプレート間で初期状態に戻す引張スプリングが備えられていることを特徴とする請求項５に記載の電子錠の緊急開錠装置。
【請求項７】
前記したモータは電子回路と電気的に接続されて起動されるものとし、その電子回路には前記した開閉体とフレームの間を通して先端を屋外側に位置されるケーブルと接続され、そのケーブルの先端には電源供給端子及び受光素子を備えていることを特徴とする請求項５または請求項６に記載の電子錠の緊急開錠装置。
【請求項８】
前記した電子回路には屋内側にあって、電話機を介して信号を発する中継器からの光信号の受光素子が接続されていることを特徴とする請求項７に記載の電子錠の緊急開錠装置。
【請求項９】
前記した中継器の発光素子と受光素子との間は光ファイバーが介在されていることを特徴とする請求項８に記載の電子錠の緊急開錠装置。
【請求項１０】
前記した電子錠の本体にも先端に電源供給端子と受光素子を備えたケーブルが接続され、そのケーブルの先端は開閉体とフレームの間を通して屋外側に位置されていることを特徴とする請求項１、請求項２、請求項３、請求項４、請求項５、請求項６、請求項７、請求項８または請求項９に記載の電子錠の緊急開錠装置。
【請求項１１】
前記した電子錠の緊急開錠装置には前記した閂部材の出入用透孔と受光素子と対応する透孔を設けたカバーケースが屋内側で装着されることを特徴とする請求項１、請求項２、請求項３、請求項４、請求項５、請求項６、請求項７、請求項８、請求項９または請求項１０に記載の電子錠の緊急開錠装置。
【請求項１２】
前記した閂部材はアルミニウムを用い、軽量化と磁力を用いた不正動作の防止を図ったことを特徴とする請求項１、請求項２、請求項３、請求項４、請求項５、請求項６、請求項７、請求項８、請求項９、請求項１０または請求項１１に記載の電子錠の緊急開錠装置。
【請求項１３】
前記した閂部材には屋内側から手動で操作するための操作子が一体的に備えられていることを特徴とする請求項１、請求項２、請求項３、請求項４、請求項５、請求項６、請求項７、請求項８、請求項９、請求項１０、請求項１１、または請求項１２に記載の電子錠の緊急開錠装置。
【発明の詳細な説明】
【技術分野】
【０００１】
本発明は電子錠の緊急開錠装置に関し、特に建築物の開口部の開閉体であるドアや窓に付設され、リモートコントローラをはじめとする無線遠隔操作用の電子キーを用いてロックしたり、そのロックを解除する電子錠の緊急開錠装置に関する。
【背景技術】
【０００２】
従来より、リモートコントローラ等の無線遠隔操作でドア等の開閉体に付設された電子錠を操作し、その電子錠の閂部材（デッドボルト）を出入させてロック状態としたり、そのロック状態を解除するシステム装置の存在が知られている。この無線操作による電子錠のシステムはピッキング対策としてドア等から鍵穴をなくすことができ、ドア等の開閉体の側部のみならず上下の任意の位置に設置することができ、電子錠より出入する閂部材をフレームに固設した受け部材の受け穴に対応させることとして、通常の錠鍵装置との併用も可能とされる。
【０００３】
この電子錠は、機構としてモータやソレノイド等を作動させるためバッテリーが内蔵されることとなるが、時としてこのバッテリーが消耗し、作動不能となってしまうことがあった。
【０００４】
このバッテリー消耗時に対応するため、出願人は図７、図８として示す構造を開発し、特願２００４−０１０４４６号として出願手続を終了している。この図７は電子錠を外開きのドアに使用した例、図８は同じく内開きのドアに使用した例である。
【０００５】
この図７、図８にあって５１はドア（スイングドア）を示し、５０はそのドア５１の取り付けられるフレームを示している。これらの例では電子錠５２がドア５１の屋内側上部に複数本の図示しないねじにより固設されている。また、フレーム５０の上部には電子錠５２から出入される閂部材（デッドボルト）５３の受け部材５４が複数本の図示しないねじによって固定されている。
【０００６】
また、電子錠５２からは内部回路、特にバッテリーと接続されたケーブル６３が延設されており、このケーブル６３はドア５１とフレーム５０との隙間を通して屋外側に導かれ、その先端をドア５１の外側表面上部に固定されている。このケーブル６３の先端には補助電源端子６０、６１が設けられている。電子錠５２の内蔵バッテリーが消耗した時、この補助電源端子６０、６１に市販されている９Ｖ乾電池６２の電極を押し付けることで内蔵バッテリーの充電を外部から行なうことができるものとしている。
【０００７】
こうして内蔵されたバッテリーに充電がなされると通常状態として、電子キー（リモートコントローラ）５５の開錠ボタンスイッチ５７を押圧入力すると、赤外線発光素子５８がケーブル６３の先端に設けられた受信ポート（受光素子）５９に対して照射されると、その信号情報をケーブル６３が継がれた内部の電子回路が解読し、閂部材（デッドボルト）５３を受け部材５４から引っ込め、開錠状態とする。なお、電子キー５５における５６は施錠ボタンスイッチを示している。
【０００８】
しかしながら、上記したように電子錠システムの故障が単なるバッテリーの消耗であれば解消できるが、電子回路や閂部材を作動させるメカニズムが故障してしまった場合、最終的には外部から破壊するしか屋内に入ることはできず、かかる作業は業者を呼ぶことになり、長時間に亘っての締め出し状態とされてしまうこととなる。
【特許文献１】特願２００４−１０４４６号出願書類
【発明の開示】
【発明が解決しようとする課題】
【０００９】
本発明が解決しようとする問題点は従来の電子錠システムが、内蔵されたバッテリーの消耗事故は簡単に修復できても、電子回路やメカニズムが故障してしまった場合に、屋外から施錠状態を解除することが不可能となり、業者等を待つ間は屋外に締め出し状態とされてしまう虞が多分にあったという点である。
【課題を解決するための手段】
【００１０】
本発明は上記した問題点を解決するため、建築物の開口部を開閉する開閉体の屋内側面に固定されるベースプレートと、そのベースプレートに対して回動もしくはスライドして位置可変とした取り付けプレートを備え、その取り付けプレートに、前記した開口部のフレームに設けられた受部に出入自在とされた閂部材を有する電子錠を固定してあることを特徴とし、前記した取り付けプレートはベースプレートに対して強制的な移動手段を介して位置が変位されることを特徴としている。
【００１１】
また、本発明は前記した取り付けプレートはその一端部分でベースプレートに対して軸支されて回転可能とされるとともに、前記閂部材と受部との間にはバックラッシが形成されていることを特徴とし、前記した取り付けプレートの前記した軸支部と反対側の端部にはノッチが形成され、そのノッチには回動もしくは摺動可能とされたラッチの一端が係合されていることを特徴とし、前記したラッチには摺動力付与手段が連接されており、その回動力付与手段はモータ駆動されるギア機構と連動される、上端にラッチと係合するフック部を形成したラック部材としてあることを特徴とし、前記したギア機構のうち、前記したラック部材を作用させるピニオンは回転ギアに同芯として設けられ、前記ラッチとベースプレート間で初期状態に戻す引張スプリングが備えられていることを特徴としている。
【００１２】
さらに、本発明は前記したモータは電子回路と電気的に接続されて起動されるものとし、その電子回路には前記した開閉体とフレームの間を通して先端を屋外側に位置されるケーブルと接続され、そのケーブルの先端には電源供給端子及び受光素子を備えていることを特徴とし、前記した電子回路には屋内側にあって、電話機を介して信号を発する中継器からの光信号の受光素子が接続されていることを特徴とし、前記した中継器の発光素子と受光素子との間は光ファイバーが介在されていることを特徴としている。
【００１３】
そして、本発明は前記した電子錠の本体にも先端に電源供給端子と受光素子を備えたケーブルが接続され、そのケーブルの先端は開閉体とフレームの間を通して屋外側に位置されていることを特徴とし、前記した電子錠の緊急開錠装置には前記した閂部材の出入用透孔と受光素子と対応する透孔を設けたカバーケースが屋内側で装着されることを特徴とし、前記した閂部材はアルミニウムを用い、軽量化と磁力を用いた不正動作の防止を図ったことを特徴とし、前記した閂部材には屋内側から手動で操作するための操作子が一体的に備えられていることを特徴としている。
【発明の効果】
【００１４】
本発明に係る電子錠の緊急開錠装置は上記のように構成されている。そのため、電子回路や閂部材の作動メカニズム等に故障が発生した際に、閂部材が突出したままの状態で電子錠本体を取り付けプレートと共に位置を移動させ、閂部材を受け部から外してしまうことができ、その結果として開閉体を可動とし、建築物の開口部を開放することができ、締め出し状態を回避することができることとなる。
【００１５】
また、本発明に係る電子錠の緊急開錠装置は既設の電子錠システムにも後付けとして設置することも可能となっており、改造工事として設備することもできるものとされている。
【発明を実施するための最良の形態】
【００１６】
実施例として図面に示す形態とすることで実現した。
【実施例１】
【００１７】
次に、本発明の好ましい実施の例を図１乃至図６を参照して説明する。図１は本発明を実施した電子錠の緊急開錠装置の機構を示す正面図、図２は同じくラック部材を示す側面図、図３は同じくドアに取り付けた状態を示す側面図、図４は同じく引き戸に取り付けた状態を示す図、図５は同じくドアとフレーム間に通されたケーブルを示す図、図６は同じく屋内側から取り付けられるカバーケースを示す斜視図である。
【００１８】
これらの図にあって８０は緊急開錠装置本体を示しており、この緊急開錠装置本体８０はベースプレート２を有しており、このベースプレート２が本実施例にあってはドア５１の屋内側上部にねじ８、８‥によって固着されている。
【００１９】
このベースプレート２には脱落防止処理された軸４によって取り付けプレート３が重合状態で連結されており、この取り付けプレート３の表面には電子錠本体１がねじ等の固着手段によって固着状態で取り付けられている。また、ベースプレート２の上端の一部はコ字状に屈曲されて取り付けプレート３の上端を押える押え部５とされている。
【００２０】
電子錠本体１には閂部材（デッドボルト）６が上方へ向けて出入自在に設けられており、この閂部材６がフレーム５０に固定されている下向きボックス状の受け部９の空間１０にその先端が挿入されることでドア５１はロック状態とされる。なお、空間１０の幅Ｌは閂部材６の幅Ｍよりも大きくして遊びを設けてあることでバックラッシが形成され、後述する取り付けプレート３、強いては電子錠本体１の回転に際し、閂部材６が突出した状態のまま空間１０から外れ、７の位置に閂部材６を移行させることを可能としている。
【００２１】
また、図中６ａは閂部材６に取り付けられたねじ等を用いた手動操作子であり、電子錠本体１に形成されているガイド溝１ａより外方へ突出されており、屋内側から、この手動操作子６ａを操作（上下動）させることで、閂部材６を上下動させて、施錠や開錠を行なうことを可能としている。
【００２２】
また、本実施例にあって閂部材６はアルミニウムによって成形されており、軽量化と磁力による不正行為が行なえないように図られている。
【００２３】
一方、図中１７はベースプレート２上に設けられた制御部（電子回路）であり、この制御部１７にはモータ１６、第一スイッチ２４、第二スイッチ２５、第三スイッチ２６及びブザー２７と屋内側における赤外線受信ポート（受光素子）２２が結線されている。この制御部１７には前述したケーブル６３と同様にドア５１とフレーム５０の間を通って外部に先端が導かれるケーブル１８が接続されており、このケーブル１８の先端には赤外線ポート（受光素子）１９と９Ｖ乾電池と対応される端子２０、２１が備えられている。
【００２４】
前記した取り付けプレート３の軸４による軸支端と反対側の縁部にはノッチ９０が形成されており、通常状態でこのノッチ９０には両端を鈍角に上方へ屈曲させた形状のラッチ１２の一端が係合されている。このラッチ１２の取り付けプレート３側の屈曲コーナーは枢支ピン１２ａで支持され、この枢支ピン１２ａを軸として回転を可能とされている。ノッチ９０を形成した取り付けプレート３はコイルスプリング１１によって常時時計方向への回転力が附勢されており、このコイルスプリング１１による回転附勢力でラッチ１２が押され、回転してしまうことがないようにラッチ１２の他方のコーナー上部にはベースプレート２に設けられたロックピン１２ｂが設けられ、このラッチ１２の回転を抑え、取り付けプレート３を位置決め支持する構造となっている。
【００２５】
電子錠本体１に内蔵バッテリーの消耗以外の故障が生じ閂部材６が受け部９の空間１０から抜けなくなってしまった場合、前記したケーブル１８の端子２０、２１に９Ｖ乾電池６２の電極を押し付けて制御部１７に電力を与える。次にコードナンバー等を加味した赤外線を電子キー５５や携帯電話機から赤外線ポート１９へ送ることで、制御部１７が起動される。
【００２６】
制御部１７が起動すると、まずモータ１６が稼動され、そのモータ１６のモータ軸に取り付けられたウォームギア１５が回転される。このウォームギア１５にはベースプレート２に軸支されているギア１４が噛合されており、このギア１４が回転を開始する。このギア１４には同軸状態でピニオン２３が取り付けられており、このピニオン２３がラック部材１３の歯群と噛合されて、ラック部材１３を下降させる。
【００２７】
ラック部材１３の上端には直角に形成された係合部１３ａが形成されており、この係合部１３ａがラッチ１２の上端面と係合され、ラック部材１３の下降に伴なってラッチ１２を枢支ピン１２ａを軸として時計方向に回転させることとなる。通常ラッチ１２はベースプレート２に設けられたロックピン１２ｂに係合してコイルスプリング２８の引張力によって上方へ附勢され、ノッチ９０と係合しているが、ラッチ１２の回転はコイルスプリング２８の附勢力に抗して行なわれることとなる。
【００２８】
ラック部材１３は第三スイッチ２６を押すまで下降し、この第三スイッチ２６が入力されることで、その信号を制御部１７が検知し、モータ１６の駆動が停止される。また、ラック部材１３の下降に伴なって引き降ろされたラッチ１２の係合がノッチ９０から外れると、取り付けプレート３は電子錠本体１と共に軸４を中心として回転する。この回転力は取り付けプレート３のノッチ９０形成側下端に一端を接続されたコイルスプリング１１の引張力により、この回転は取り付けプレート３がストッパピン２９に当接することで停止される。
【００２９】
この時、取り付けプレート３は第二スイッチ２５を押圧入力する。このスイッチ２５の入力を制御部１７で検知するとモータ１６が逆回転し、前記したギア機構が逆方向に作用して、ラック部材１３を上昇させる。このラック部材１３の上昇で係合部１３ａとの係合状態が解放されたラッチ１２はコイルスプリング２８の附勢力によって初期位置へ復帰することとなる。
【００３０】
このラック部材１３が上昇すると、係合部１３ａの頂面が第一スイッチ２４を押圧入力し、この第一スイッチ２４の入力が制御部１７で検知されるとモータ１６の逆回転駆動も停止される。
【００３１】
この状態で第一スイッチ２４及び第二スイッチ２５が共に入力状態となり、第三スイッチ２６はオフとなっているが、この状態を制御部１７が検知するとブザー２７が鳴動して閂部材６が７の位置へ移行し、開錠状態となってドア５１が開けられることを知らしめる。
【００３２】
また、図中２２は制御部１７と電気的に接続されている赤外線の受信ポート（受光素子）であり、電子キー５５を携行していない場合に使用されることとなる。電子キー５５を所持していない時、携帯電話機でコードナンバー等を加味してメーカーの２４Ｈサービスセンター経由で屋内電話機に電話をかけると、その屋内電話機と接続された中継器（電話開錠器）から必要な赤外線が光ファイバーを介してこの受信ポート２２に照射され、制御部１７を起動させることができるものとなっている。
【００３３】
さらに、図６として示す９３は緊急開錠装置本体８０に被せられるカバーケースを示しており、このカバーケース９３には閂部材６が出入するための透孔９４が上面に、受信ポート２２と対応して赤外線が通過されるための透孔９２が正面に各々穿設されたものとなっている。
【００３４】
前記したブザー２７の鳴動を確認したら、ドア５１を開けて屋内に入り、カバーケース９３を取り外し、取り付けプレート３に附設されている取手３１を押し上げることで軸４を中心として電子錠本体１及び取り付けプレート３を反時計方向に回転させ閂部材６が受け部９の空間１０内に位置する元の状態に戻す。この時ノッチ９０を形成する取り付けプレート３の側縁面９０ａがラッチ１２を押し擦りながらコイルスプリング２８を引き伸ばし、ラッチ１２を回転させつつ上昇していくこととなり、取り付けプレート３の上縁がストッパピン３０と当接するまで押し上げると、側縁面９０ａとラッチ１２との摺接は解放され、ラッチ１２はコイルスプリング２８に引かれてノッチ９０と係合して初期状態となる。
【００３５】
この状態で閂部材６は受け部９の空間１０内にあり、施錠状態となっているので、それから業者等に連絡して修理を依頼すればよく、必要に応じて屋内側から開錠するには手動の操作子６ａを使用することもできる。
【００３６】
なお、この実施例にあってラック部材１３やラッチ１２等は格別に図示しない軸受やガイド部材が付加されるもので、その揺動や脱落等は発生することがないように図られるものであることは勿論である。
【００３７】
さらに、図４として示すのは本発明に係る緊急開錠装置本体８０を引き戸に応用して設置する例であり、Ａは左引き戸４０、Ｂは右引き戸４０ａの場合を示している。この場合、スライド可動とされているのは４０、４０ａであり、４１、４１ａは不動の〆切状態となっている。この引き戸はその引き方向の違いにより、緊急開錠装置８０における電子錠本体１を除くベースプレート２、取り付けプレート３及びメカニズムの配置位置を変更することでその回転方向を対称的に逆方向とすることができる。この時、ラッチ１２には予備のピン孔やスプリングの掛け孔等を形成しておくこともでき、ラッチ１２を左右反転して使用することで対応できる。この引き戸の場合、ケーブル６３、１８は上部の嵌め合い溝でなく上下面に出すこととなる。
【産業上の利用可能性】
【００３８】
上記した実施例はドア５１や４０、４０ａに対して用いたものであるが、その他に窓についても応用実施できることは当然であり、また、電子錠本体１を固設した取り付けプレート３の動きも軸４を中心とした回転動作のほか、取り付けプレート３をベースプレート２に対して、フレーム５０から離れる方向へスライドするようにメカニズムを構成することも可能である。
【００３９】
また、本実施例では、例えばドア５１の上方部分に電子錠本体１を含む機構を設けることとしたが、これにこだわらず、下方部分でも通常の錠鍵装置のようにサイド側に設けることも勿論可能である。
【図面の簡単な説明】
【００４０】
【図１】本発明を実施した電子錠の緊急開錠装置の機構を示す正面図である。
【図２】ラック部材を示す側面図である。
【図３】ドアに取り付けた状態を示す側面図である。
【図４】引き戸に取り付けた状態を示す図である。
【図５】ドアとフレーム間に通されたケーブルを示す図である。
【図６】屋内側から取り付けられるカバーケースを示す斜視図である。
【図７】従来の電子錠システムの構成を示す図である。
【図８】従来の電子錠システムを内開きドアに用いた構成を示す図である。
【符号の説明】
【００４１】
１      電子錠本体
１ａ    ガイド溝
２      ベースプレート
３      取り付けプレート
４      軸
５      押え部
６      閂部材
６ａ    手動操作子
７      位置移動した閂部材
８      ねじ
９      受け部
１０    空間
１１    コイルスプリング
１２    ラッチ
１２ａ  枢支ピン
１２ｂ  ロックピン
１３    ラック部材
１３ａ  係合部
１４    ギア
１５    ウォームギア
１６    モータ
１７    制御部
１８    ケーブル
１９    赤外線受信ポート
２０    端子
２１    端子
２２    赤外線受信ポート
２３    ピニオン
２４    第一スイッチ
２５    第二スイッチ
２６    第三スイッチ
２７    ブザー
２８    コイルスプリング
２９    ストッパピン
３０    ストッパピン
３１    取手
４０    引き戸
４０ａ  引き戸
４１    〆切戸
４１ａ  〆切戸
５０    フレーム
５１    ドア
５２    電子錠
５３    デッドボルト
５４    受部材
５５    電子キー
５６    施錠スイッチ
５７    開錠スイッチ
５８    赤外線発光素子
５９    赤外線受信ポート
６０    端子
６１    端子
６２    ９Ｖ乾電池
６３    ケーブル
８０    緊急開錠装置本体
９０    ノッチ
９０ａ  側縁面
９２    赤外線用透孔
９３    カバーケース
９４    閂部材の出入用透孔
【図１】
2006037442.tif 000003
【図２】
2006037442.tif 000004
【図３】
2006037442.tif 000005
【図４】
2006037442.tif 000006
【図５】
2006037442.tif 000007
【図６】
2006037442.tif 000008
【図７】
2006037442.tif 000009
【図８】
2006037442.tif 000010